(57)【特許請求の範囲】
【請求項１】
桟橋を所定スパンづつ順次施工して延設する桟橋の施工方法において、足場を備えて水平に延びる跳ねだし架台を、順次、施工済みの桟橋の杭の側面へ取り外し可能に支持させながら該桟橋の延設方向に向けて繰り出し、その繰り出した跳ねだし架台の足場を利用して桟橋の架設作業を行うことを特徴とする桟橋の施工方法。
【請求項２】
一対の上記跳ねだし架台を施工済みの桟橋の幅方向両端部位置からそれぞれ繰り出すと共に、足場を備えて水平に延びる杭打設定規を、上記一対の繰り出した跳ねだし架台間に、杭打設位置の並びに沿って取り外し可能に横架して桟橋の架設作業を行うことを特徴とする請求項１に記載した桟橋の施工方法。
【発明の詳細な説明】
【０００１】
【産業上の利用分野】
本発明は、桟橋の施工方法に関し、特に、水の流れが早く作業船を係留できないような場所に桟橋を架設する際の桟橋の施工方法に好適なものである。
【０００２】
【従来の技術】
急流の河川や強潮流がある港湾内等に桟橋を構築する場合、作業船を係留して杭打ち作業を実施する等の作業ができないため、一般には、所定スパンづつ順次施工することで桟橋を延設して、目的とする桟橋を構築している。
この従来の桟橋の施工方法では、１スパン桟橋を施工して該桟橋を延設する度に、施工済の桟橋の先端部分の床から大型クレーンを用いて、次に打設する基礎杭位置近傍に足場架台を仮設し、この足場架台に足場材や杭打設用の導材を取り付ける。そして、上記足場架台を足場として、次に打設する杭打設位置に導材を設置して複数の基礎杭を打設した後に、主桁や床版等の施工を実施して１スパン分の桟橋を構築する。
【０００３】
以上の作業を、順次、繰り返すことで桟橋を延設して目的とする桟橋を構築する。
【０００４】
【発明が解決しようとする課題】
しかしながら、上記のような従来の桟橋の施工方法では、桟橋を１スパン延設する度に、足場架台の仮設作業を行う必要がある。この仮設作業は、水底に木杭を打設する等の作業が要求されるので水の流れが速いほど手間が掛かり施工性が良くない。
【０００５】
また、急流な河川等での作業では、特に、上記仮設した足場架台に対して足場や手すり等の安全設備を設けることが不可欠であるが、上記従来の施工方法では、足場架設を仮設する度に、上記足場や手すり等の安全設備を設ける作業も必要となる。
また、上記足場架台は定規の役割を有しないので、足場架台の仮設とは別に、定規等を使用して基礎杭の打設位置を特定して杭打ち作業をする必要があり、杭打ち作業に手間が掛かる。
【０００６】
本発明は、上記のような問題点に着目してなされたもので、桟橋の施工効率を向上させることを目的としている。
【０００７】
【課題を解決するための手段】
上記目的を達成するために、本発明のうち請求項１に記載した発明の桟橋の施工方法は、桟橋を所定スパンづつ順次施工して延設する桟橋の施工方法において、足場を備えて水平に延びる跳ねだし架台を、順次、施工済みの桟橋の杭の側面へ取り外し可能に支持させながら該桟橋の延設方向に向けて繰り出し、その繰り出した跳ねだし架台の足場を利用して桟橋の架設作業を行うことを特徴としている。
【０００８】
また、請求項２に記載した発明は、請求項１に記載した構成に対して、一対の上記跳ねだし架台を施工済みの桟橋の幅方向両端部位置からそれぞれ繰り出すと共に、足場を備えて水平に延びる杭打設定規を、上記一対の繰り出した跳ねだし架台間に、杭打設位置の並びに沿って取り外し可能に横架して桟橋の架設作業を行うことを特徴とする。
【０００９】
【作用】
請求項１に記載した発明では、順次、施工済みの桟橋から跳ねだし架台を繰り出しながら桟橋の施工を実施していくので、桟橋を延設する度に従来のような仮設の足場架台を設ける必要がない。また、上記跳ねだし架台は、施工済みの杭に支持されるので、水上での移動・及び設置作業となり、水の流れに影響されないで該跳ねだし架台を繰り出すことができる。
【００１０】
また、同一の跳ねだし架台を順次繰り出すので、その跳ねだし架台に一度足場や手擦り等の安全設備を設置しておけば、桟橋の延設の度に、安全設備の取り付け作業を行う必要はない。
また、該跳ねだし架台は、桟橋の延設方向へ水平に延びるために桟橋延設方向の定規の役割を兼ねさせることもできる。そして、そのようにすれば、次に杭を打設する桟橋延設方向の位置等が容易に特定されて、正確な杭打ち作業が従来よりも容易に実施可能となる。
【００１１】
また、請求項２に記載した発明では、上記作用に加えて、桟橋の延設方向ばかりでなく該延設方向に直交する方向にも足場が設けられて、主桁架設作業等の足場が確保される。
また、杭打設定規を、次に打設される杭打設位置の並びに沿って横架することで、杭打設の桟橋幅方向の位置の特定も容易となる。
【００１２】
【実施例】
本発明の実施例を図面に基づいて説明する。
まず、跳ねだし架台Ａの構成について説明すると、図１及び図２に示すように、施工する桟橋の２スパン以上の長さを有するＨ形鋼から架台本体１が構成され、該架台本体１は、ウェブ部１ｂを垂直にした状態で水平に延びている。その架台本体１の上側フランジ部１ａにおける延在方向後部側には、図３に示すように、基礎杭２に固定された水平継ぎ材３に取り付けるための一対のボルト孔が上下に開口し、第１支持部４が構成されている。
【００１３】
また、上記上側フランジ部１ａの延在方向中央部であって上記第１支持部４から桟橋の１スパン分だけ離れた位置に、第２支持部を構成するボックス部材５が固着されている。上記ボックス部材５は、上記上側フランジ部１ａの幅方向に向けて開放されると共に、該上側フランジ部１ａの上面から上方に突出し該上側フランジ部１ａの延在方向で対向する一対の垂直部材５ａと、その一対の垂直部材５ａの上端部を水平に連結する水平板部材５ｂと、から構成されて、杭２に固定された水平継ぎ材３を挿入可能となっている。上記水平板部材５ｂには、水平継ぎ材３に取り付けるためのボルト孔が一対，開口している。
【００１４】
また、上記上側フランジ部１ａには、図４に示すように、複数の足場ブラケット６が固定されている。その複数の足場ブラケット６は、上側フランジ部１ａの延在方向に沿って所定間隔をあけて配列すると共に、それぞれ上側フランジ部１ａの幅方向に延びている。その複数の足場ブラケット６の上に、架台本体１の延在方向に沿って足場７が設置されている。
【００１５】
また、上記足場ブラケット６の先端部には、手すり８を構成する鉄棒部材８ａが固定され、該鉄棒部材８ａは、途中から折れ曲がって上方に延びている。その複数の鉄棒部材８ａ間を、水平に連結するように別の鉄棒部材８ｂが架設されて、図５に示すような手すり８が構成されている。なお、上記手すり８には、安全設備である救命用浮輪が設置されている。
【００１６】
次に、杭打設定規Ｂの構成について説明すると、ウェブ部を水平状態にして水平に延びるＨ形鋼を本体９とし、その幅方向の一方には、上記跳ねだし架台Ａと同様に、複数の足場ブラケットを介して該本体に沿って足場１０が固定されていると共に、手すり１１が設けられて構成されている。
次に、上記構成の一対の跳ねだし架台Ａ及び杭打設定規Ｂを使用した桟橋の施工方法について説明する。
【００１７】
ここで、桟橋は、所定のスパンごとに、図５に示すような桟橋の幅方向に並んで４本の基礎杭２が打設され、その４本の基礎杭２の上部を連結するように桁受け１２が架設されると共に、該基礎杭２の下部を連結するように水平継ぎ材３が架設され、ブレース材１３によって杭２間が補強されている。そして、上記桟橋の延設方向Ｐで対置する桁受け１２間に４本の主桁１４が架設され、該主桁１４上に覆工板１５が設置されて１スパン分の桟橋が構成される。また、本実施例の上記水平継ぎ材３は、図３に示すように、チャンネル材から構成されて、ウェブ部を基礎杭２に固着し、その両端部は、端の基礎杭２よりも側方に突出している。その突出部分における上下両フランジ部３ａ，３ｂには、跳ねだし架台Ａを支持するために、それぞれボルト孔が開設されている。
【００１８】
そして、上記のような構成からなる２スパン分の桟橋を通常の方法で延設方向Ｐに向けて施工した後（図６中、Ｃ部分）、図６に示すように、その施工済みの桟橋にクレーン１７を移動させる。次に、跳ねだし架台Ａを、クレーン１７によって吊り込んで移動させて、既に架設した桟橋の幅方向に突出している水平継ぎ材３の端部に取り付けることで杭２に支持させて、該跳ねだし架台Ａを延設方向Ｐに向けて張り出させる。
【００１９】
上記支持方法は、図３に示すように、一番先端部の基礎杭２に支持される水平継ぎ材３の端部を、相対的に側方から跳ねだし架台Ａのボックス部材５内に挿通させる。このように、跳ねだし架台Ａを水平継手を介して杭２に支持させたら、該ボックス部材５の水平板部材５ｂのボルト孔と水平継ぎ材３の上側フランジ部３ａのボルト孔をボルト１８で仮止めする。次に、跳ねだし架台Ａにおける第１支持部４のボルト孔を、一つ後方の基礎杭２に取り付けた水平継ぎ材３の下側フランジ部３ｂのボルト孔と同軸にしてボルト１９により仮止めする。
【００２０】
これによって、一方の跳ねだし架台Ａは、水平継ぎ材３を介して施工済みの桟橋の杭２に支持されて、桟橋の延設方向Ｐに沿って延びた状態となる。
上記のようにして、図２に示すように、施工済みの桟橋の幅方向両側位置に、それぞれ跳ねだし架台Ａの取り付けを実施する。なお、図２では、架設した主桁１４や覆工板１５を省略している。
【００２１】
次に、図７に示すように、杭打設定規Ｂをクレーン１７で吊り込み、一対の跳ねだし架台Ａの先端部間に横架して固定する。
このとき、各跳ねだし架台Ａの先端部に該杭打設定規Ｂの設置場所を予めマーキングしておくことで、該マーキング位置に該杭打設定規Ｂを載せて固定するだけで、図２に示すように、杭２の打設位置の並びに沿って杭打設定規Ｂが設置されて、杭打設位置の特定が容易となる。
【００２２】
次に、図８に示すように、クレーン１７で打設する杭２を順次吊り込み、杭打設定規Ｂに従って４本の基礎杭２の打ち込みを実施する。なお、図８中、２０はバイブロハンマである。
次に、図９に示すように、跳ねだし架台Ａ及び杭打設定規Ｂの足場を利用して、上記打設した各基礎杭２の上部を連結するように桁受け１２を架設する。
【００２３】
次に、図１０に示すように、杭打設定規Ｂを、一旦、クレーン１７で吊り込み、該打設した基礎杭２の並びの外側に移動させて、再び、一対の跳ねだし架台Ａの先端部に固定する。このとき、杭打設定規Ｂの足場が外側を向くように設定する。これによって、該杭打設定規Ｂは、主桁１４や水平継ぎ材３等の施工の際の足場を構成する。
【００２４】
次に、桟橋の延設方向で対置する延設方向Ｐで対置する桁受け１２間に４本の主桁１４を架設し、その上に覆工板１５を布設すると共に、上記打設した４本の基礎杭２間の下部に水平継ぎ材３を水平に架設し且つブレース１３を取り付けて補強する。
これによって、１スパン分の桟橋の施工が完了し、該桟橋は１スパン分だけ延設されたこととなる。
【００２５】
次に、杭打設定規Ｂをクレーン１７によって吊って取り外して一旦退避させ後、跳ねだし架台Ａを、クレーン１７によって吊って支持させると共に仮止めのボルト１８，１９を外し、該跳ねだし架台Ａを１スパン分だけ前方に繰り出して、再び杭２に支持させて、上記作業を、桟橋が完成するまで繰り返し行う。
以上のように、１スパン施工する度に跳ねだし架台Ａを順次繰り出すだけで、桟橋を架設するための足場が確保される。また、該跳ねだし架台Ａには、手すり８や救命具等が常備されているので、桟橋を延設する度に手すり８等を取り付ける作業が不要となる。
【００２６】
また、上記跳ねだし架台Ａ及び杭打設定規Ｂは、杭２の打設位置を特定する定規の役割もするので、正確な杭打ち作業が従来よりも迅速に実施できる。
また、上記跳ねだし架台Ａは、杭２に支持されて水上での移動及び設置作業となるので、水の流れが急流であっても施工性を悪化させることがなく安定して施工のための足場が確保される。
【００２７】
なお、上記跳ねだし架台Ａの杭２への支持方法は一例であるので、他の方法によって支持させてもよい。例えば、跳ねだし架台Ａを直接、基礎杭２に支持させてもよいし、桁受け１２に支持させるように構成してもよい。
または、延設方向Ｐに延びるレール部材を各杭に取り付けて、上記跳ねだし架台を、該レール部材を介してスライド可能として、該跳ねだし架台をスライドによって延設方向Ｐに繰り出させる構成としてもよい。
【００２８】
【発明の効果】
以上説明してきたように、本発明の桟橋の施工方法は、従来のような足場架台の仮設作業が不要となる共に正確な杭打ち作業が従来よりも容易に実施可能となるので、従来よりも短い工期で桟橋を施工可能となる。
さらに、上記跳ねだし架台を杭に支持させているために該跳ねだし架台は水上での移動及び設置作業となるので、水の流れに影響を受けずに、急流の河川等での施工であっても安定した桟橋の施工ができて施工性が向上する。
【００２９】
また、請求項２に記載した発明を採用すると、杭打設定規を設置するだけで更に杭打設位置が容易に特定される共に、桟橋の幅方向への足場も設けられるために、さらに桟橋構築の施工性が向上する。
【図面の簡単な説明】
【図１】本発明に係る実施例の桟橋及び跳ねだし架台を示す側面図である。
【図２】本発明に係る実施例の桟橋と跳ねだし架台との関係を示す平面図である。
【図３】本発明に係る実施例の跳ねだし架台の杭への支持を示す側面図である。
【図４】本発明に係る実施例の跳ねだし架台の架台本体と足場との関係を示す平面図である。
【図５】本発明に係る実施例の桟橋及び跳ねだし架台を示す概略斜視図である。
【図６】本発明に係る実施例の桟橋に跳ねだし架台を支持させた状態を示す図である。
【図７】本発明に係る実施例の杭打設定規を取り付ける状態を示す図である。
【図８】本発明に係る実施例の杭打設の状態を示す図である。
【図９】本発明に係る実施例の打設した杭に桁受けを架設した状態の図である。
【図１０】本発明に係る実施例の主桁の取り付けの状態を示す図である。
【符号の説明】
Ａ      跳ねだし架台
Ｂ      杭打設定規
Ｐ      桟橋の延設方向
１      架台本体
２      杭
３      水平継ぎ材
５      ボックス部材
７      足場
８      手すり
１２    桁受け
１３    主桁
１５    覆工板
１７    クレーン
【図１】
0003614489.tif 000002
【図２】
0003614489.tif 000003
【図３】
0003614489.tif 000004
【図４】
0003614489.tif 000005
【図５】
0003614489.tif 000006
【図６】
0003614489.tif 000007
【図７】
0003614489.tif 000008
【図８】
0003614489.tif 000009
【図９】
0003614489.tif 000010
【図１０】
0003614489.tif 000011